(57)【要約】【課題】移動型放射線撮影装置を利用した放射線撮影に関連する効率的かつ効果的なワークフローを実現する。【解決手段】被写体の放射線画像データを生成するための、光電変換素子を含む放射線画像生成部を備えた移動型放射線撮影装置による放射線撮影方法であって、放射線撮影依頼情報を有する外部の情報システムに対し、その放射線撮影依頼情報を選択するためのキー情報を送信し、その情報システムから送信された放射線撮影依頼情報を受信し、受信された放射線撮影依頼情報に基づいて、放射線画像生成部の動作を制御する。【選択図】　図９
2004041698.tif 000002
【特許請求の範囲】
【請求項１】
被写体の放射線画像データを生成するための、光電変換素子を含む放射線画像生成手段と、
放射線撮影依頼情報を有する外部の情報システムに対し、前記放射線撮影依頼情報を選択するためのキー情報を送信するキー情報送信手段と、
前記情報システムから送信された放射線撮影依頼情報を受信する受信手段と、前記受信手段により受信された放射線撮影依頼情報に基づいて、前記放射線画像生成手段の動作を制御する制御手段と
を有することを特徴とする移動型放射線撮影装置。
【請求項２】
前記放射線撮影依頼情報は、前記被写体を特定する情報を含む
ことを特徴とする請求項１に記載の移動型放射線撮影装置。
【請求項３】
前記キー情報は、移動型放射線撮影装置を特定する情報を含む
ことを特徴とする請求項１に記載の移動型放射線撮影装置。
【請求項４】
前記キー情報は、前記放射線撮影依頼情報に関連付けられた情報を含む
ことを特徴とする請求項１に記載の移動型放射線撮影装置。
【請求項５】
撮影結果情報を前記情報システムに送信する撮影結果情報送信手段を更に有する
ことを特徴とする請求項１に記載の移動型放射線撮影装置。
【請求項６】
前記受信手段により受信された前記放射線撮影依頼情報を表示する表示手段を更に有する
ことを特徴とする請求項１に記載の移動型放射線撮影装置。
【請求項７】
前記情報システムは、病院情報システム、放射線情報システム及び画像管理システムのうちの少なくとも１つを含む
ことを特徴とする請求項１に記載の移動型放射線撮影装置。
【請求項８】
前記制御手段は、前記放射線撮影依頼情報に基づいて、撮影条件設定、画像処理条件設定、前記放射線画像データの送信先の設定、及び前記放射線撮影依頼情報と前記放射線画像データとの対応付け、のうちの少なくとも１つを行なう
ことを特徴とする請求項１に記載の移動型放射線撮影装置。
【請求項９】
被写体の位置に関する位置情報及び地図情報に基づいて、前記放射線撮影依頼情報をソートするソート手段を更に有する
ことを特徴とする請求項１に記載の移動型放射線撮影装置。
【請求項１０】
前記被写体の位置に関する位置情報及び前記地図情報を表示する表示手段を更に有する
ことを特徴とする請求項９に記載の移動型放射線撮影装置。
【請求項１１】
請求項１乃至１０のいずれか１項に記載の移動型放射線撮影装置と、前記情報システムとから構成されることを特徴とする放射線撮影システム。
【請求項１２】
被写体の放射線画像データを生成するための、光電変換素子を含む放射線画像生成部を備えた移動型放射線撮影装置による放射線撮影方法であって、
放射線撮影依頼情報を有する外部の情報システムに対し、前記放射線撮影依頼情報を選択するためのキー情報を送信するキー情報送信工程と、
前記情報システムから送信された放射線撮影依頼情報を受信する受信工程と、前記受信工程において受信された放射線撮影依頼情報に基づいて、前記放射線画像生成部の動作を制御する制御工程と
を含むことを特徴とする放射線撮影方法。
【請求項１３】
被写体の位置に関する位置情報及び地図情報に基づいて、撮影依頼情報をソートするソート工程を更に含む
ことを特徴とする請求項１２に記載の放射線撮影方法。
【請求項１４】
前記被写体の位置に関する情報及び前記地図情報を表示する表示工程を更に含む
ことを特徴とする請求項１３に記載の放射線撮影方法。
【請求項１５】
請求項１２に記載の放射線撮影方法をコンピュータに実行させることを特徴とするプログラム。
【請求項１６】
請求項１５に記載のプログラムを格納していることを特徴とするコンピュータ可読記憶媒体。
【請求項１７】
放射線撮影依頼情報を記憶する記憶手段と、
被写体の放射線画像データを生成するための、光電変換素子を含む移動型放射線撮影装置から送信された、前記放射線撮影依頼情報を選択するためのキー情報を受信する受信手段と、
前記受信手段により受信された前記キー情報に基づいて、前記記憶手段に記憶された放射線撮影依頼情報を選択する選択手段と、
前記選択手段により選択された放射線撮影依頼情報を前記移動型放射線撮影装置に送信する送信手段と
を有することを特徴とする情報システム。
【請求項１８】
被写体の位置に関する位置情報及び地図情報に基づいて、前記選択手段により選択された前記放射線撮影依頼情報をソートするソート手段を更に有する
ことを特徴とする請求項１７に記載の情報システム。
【発明の詳細な説明】
【０００１】
【発明の属する技術分野】
本発明は、移動型放射線撮影装置を利用した放射線撮影に関連するものである。
【０００２】
【従来の技術】
従来から、Ｘ線撮影として最も一般的な撮影方法はフィルム／スクリーン法であり、これは感光性フィルムとＸ線に対して感度を有している蛍光体を組み合わせて撮影する方法である。Ｘ線を照射すると発光する希土類から成る蛍光体を、感光性フィルムの両面に密着させて保持し、被写体を透過したＸ線を蛍光体で可視光に変換して感光性フィルムにより光を捉え、この感光性フィルムに形成された潜像を化学処理で現像することにより像を可視化する。
【０００３】
第２の撮影方法として、コンピューテッドラジオグラフィ（ＣＲ）法と呼ばれる方法も実用化されている。この方法は、放射線の透過画像を蛍光体中に一旦、潜像として蓄積し、後に励起光を照射することにより潜像を読み出す方式である。例えば、或る種の蛍光体にＸ線、α線、β線、γ線、電子線、紫外線等の放射線を照射すると、この放射線のエネルギの一部が蛍光体中に蓄積される。また、この蛍光体に可視光等の励起光を照射すると、蓄積されたエネルギに応じて蛍光体が輝尽発光を示すことが知られている。
【０００４】
このような性質を示す蛍光体は、蓄積性蛍光体又は輝尽性蛍光体と呼ばれている。この蓄積性蛍光体を利用することにより、人体等の被写体の放射線画像情報を蓄積性蛍光体シートに一旦記録する。その後に、この蓄積性蛍光体シートをレーザー光等の励起光を用いて走査することにより輝尽発光光を生じさせ、得られた輝尽発光光を光電的に読み取ることにより画像信号を取得し、この画像信号に基づいて写真感光材料等の記録材料、ＣＲＴ等の表示装置に被写体の放射線画像を可視像として出力させる放射線画像情報記録再生システムが、特開昭５５−１２４２９号公報、特開昭５６−１１３９５号公報等において提案されている。
【０００５】
また、近年の半導体プロセス技術の進歩に伴い、第３の撮影方法として半導体センサを使用して同様にＸ線画像を撮影する装置が開発されている。この種のシステムは、従来の銀塩写真を用いる放射線写真システムと比較して、極めて広範囲な放射線露出域の画像を記録できるという利点を有している。即ち、広範囲のダイナミックレンジのＸ線を光電変換手段により読み取って電気信号に変換した後に、この電気信号を用いて写真感光材料等の記録材料やＣＲＴ等の表示装置に放射線画像を可視像として出力させることにより、放射線の露光量の変動に影響され難い、放射線画像を得ることができる。
【０００６】
図６は上述した半導体センサを用いた放射線画像撮影システムの概略図を示している。Ｘ線撮影装置１には、複数の光電変換素子が二次元状に配置されてなる検出面を有するＸ線検出センサ２が内蔵されている。また、Ｘ線撮影装置１のＸ線発生部３から出射されたＸ線が被写体Ｓに照射され、被写体Ｓを透過したＸ線はＸ線検出センサ２により検出される。このＸ線検出センサ２から出力された画像信号は、画像処理部４においてデジタル画像処理され、モニタ５上に被写体ＳのＸ線画像として表示される。
【０００７】
ところで、近年、病院内の情報ネットワークの整備に伴い、ネットワーク上で情報を扱うシステムとして病院情報システム（ＨＩＳ）、放射線情報システム（ＲＩＳ）、画像保管通信システム（Ｐｉｃｔｕｒｅ　Ａｒｃｈｉｖｉｎｇ　ａｎｄ　Ｃｏｍｍｕｎｉｃａｔｉｏｎ　Ｓｙｓｔｅｍ、ＰＡＣＳ）等と呼ばれる情報システムが発達し、Ｘ線撮影装置の運用に密接に関連している。
【０００８】
病院情報システムは、患者情報（例えば、患者ＩＤ、患者氏名、性別、生年月日等）や会計情報等の病院内の管理情報全般を扱う。放射線情報システムは、診療科から画像の撮影依頼をうけ、放射線科にどの患者のどの部位をどのような撮影機材で撮影するかを明確にして撮影依頼を出すなどの画像撮影に関する情報の管理を行う。画像保管通信システムは、撮影された画像データを保管し、過去画像の視認依頼があれば画像を検索して配信するなどの画像データの保管管理を行う。
【０００９】
病院内のＸ線撮影装置には、撮影室に固定された据置型と、院内を移動可能な移動型がある。移動型は撮影室にくることのできない患者の撮影を行うために、病室、手術室、集中治療室、救急処置室などに運んでＸ線撮影を行うことが可能である。このような院内の各情報システムに対し、据置型Ｘ線撮影装置は当然オンラインで接続されているが、移動型Ｘ線撮影装置は、院内の各情報システムとは接続されていない。
【００１０】
図７に従来の病院内の情報システムの構成の概略を示す。
【００１１】
情報システム１１は、放射線情報システム１２と接続されており、患者情報や、画像撮影等に関する情報をやり取りしている。Ｘ線撮影の依頼があると、放射線情報システム１２で、必要事項を記載したＸ線撮影の依頼書を作成し、書類１６として出力する。大規模な病院では、診療科ごと、あるいは入院病棟ごとに複数の移動型Ｘ線撮影装置１３、１４、１５を配備し、複数のＸ線撮影技師が同時に撮影を行う。
【００１２】
従って、依頼のあったＸ線撮影を、複数の移動型Ｘ線撮影装置１３、１４、１５に振り分けて撮影するため、書類１６は分担を決める作業者により使用するＸ線撮影装置ごとに分類され（書類１７、１８、１９）、それぞれの移動型Ｘ線撮影装置を担当するＸ線撮影技師に配布される。依頼を受けた各Ｘ線撮影技師は、依頼書にしたがって、それぞれの分担の範囲を移動型Ｘ線撮影装置とともに移動して撮影を行い、撮影後、撮影結果を依頼書を介して放射線情報システム１２に入力する。
【００１３】
また、依頼を受けた各Ｘ線撮影技師は、まず、配布された依頼書を、撮影順に並べ替える。その際、撮影技師は、書類に記載された患者の病室番号を基に、病室の配置を考慮しながら最も効率の良い撮影ルートを考えて、依頼書を並べ替える。そして、その順番に従って、各撮影技師はそれぞれの分担の範囲を移動型Ｘ線撮影装置とともに移動して撮影を行う。
また、光電変換素子を含む撮像手段によって撮影画像を取得する可搬型の撮影装置であって、外部からの撮影に関する情報を可搬型記憶媒体又は通信手段を介して取得するようにした撮影装置が特許文献１において知られている。
【特許文献１】特開２００２−１２５９６０号公報
【００１４】
【発明が解決しようとする課題】
これまで述べてきたように、従来の移動型Ｘ線撮影装置では、病院内のネットワークと接続されていなかった。また、フィルム／スクリーン法では、画像がデジタル化されないため、据置型Ｘ線撮影装置も、移動型Ｘ線撮影装置も通常病院内のネットワークに接続されることはなかった。また、コンピューテッドラジオグラフィ法では、輝尽性蛍光体の読取装置は据置型で、病院内のネットワークに接続されることは一般的である。
【００１５】
一方、移動型Ｘ線撮影装置の場合、輝尽性蛍光体は通常のフィルムと同様カセッテと呼ばれるケースに１枚づつ収納されて運搬、撮影され、撮影済のカセッテは据え置きされた読取装置まで運搬され、読み取られていた。従って、移動型Ｘ線撮影装置は病院内のネットワークと接続されることはなかった。
【００１６】
しかしながら、近年、移動型Ｘ線撮影装置の性能の向上と、撮影される患者の負担軽減の目的とから、移動型Ｘ線撮影装置で撮影される件数は増加している。これに伴い、従来の書面による運用は、入出力の効率が悪いこと、誤記、転記ミスなど信頼性の問題もあることが、表面化してきた。また、撮影の順番を技師が考えていたため、必ずしも最も効率の良い最短ルートをたどっているとは限らず、撮影の効率が悪かった。
【００１７】
第３の方法として、Ｘ線検出センサを用いる場合、据置型Ｘ線撮影装置は、通常病院内のネットワークと接続されている。一方、移動型Ｘ線撮影装置にＸ線検出センサを利用する場合、そのＸ線検出センサの制御装置、画像記憶装置が移動型Ｘ線撮影装置に内蔵されるため、病院内のネットワークと接続する手段がないと、運用上非常に効率が悪くなってしまうという問題がある。
【００１８】
例えば、患者情報を手入力する必要が生じたり、画像情報を一旦可搬性の媒体に記録し、その媒体を介して情報システムに送る必要が生じたりする。従って作業時間が長くなったり、入力ミスが発生したりする、などの問題が起こり得る。また、撮影の順番を決定するシステムがなかったため、撮影の効率が悪かった。更に、上述の特許文献１に開示されている移動型（可搬型）撮影装置によれば、上述の患者情報の手入力等による問題がなくなり撮影情報の効率的な取得が可能となるが、複数の移動型撮影装置を利用した運用等を想定した場合、外部から撮影情報を取得する際に移動型撮影装置毎に撮影情報を選択する手間が生じてしまう。
【００１９】
本発明は、上記の課題を解決し、移動型放射線撮影装置を利用した放射線撮影に関連する効率的かつ効果的なワークフローを実現できるようにすることを１つの目的とする。
【００２０】
【課題を解決するための手段】
上記の目的を達成するための第１の発明は、被写体の放射線画像データを生成するための、光電変換素子を含む放射線画像生成手段と、放射線撮影依頼情報を有する外部の情報システムに対し、前記放射線撮影依頼情報を選択するためのキー情報を送信するキー情報送信手段と、前記情報システムから送信された放射線撮影依頼情報を受信する受信手段と、前記受信手段により受信された放射線撮影依頼情報に基づいて、前記放射線画像生成手段の動作を制御する制御手段とを有することを特徴とする移動型放射線撮影装置である。
【００２１】
上記の目的を達成するための第２の発明は、被写体の放射線画像データを生成するための、光電変換素子を含む放射線画像生成部を備えた移動型放射線撮影装置による放射線撮影方法であって、放射線撮影依頼情報を有する外部の情報システムに対し、前記放射線撮影依頼情報を選択するためのキー情報を送信するキー情報送信工程と、前記情報システムから送信された放射線撮影依頼情報を受信する受信工程と、前記受信工程において受信された放射線撮影依頼情報に基づいて、前記放射線画像生成部の動作を制御する制御工程とを含むことを特徴とする放射線撮影方法である。
【００２２】
上記の目的を達成するための第３の発明は、放射線撮影依頼情報を記憶する記憶手段と、被写体の放射線画像データを生成するための、光電変換素子を含む移動型放射線撮影装置から送信された、前記放射線撮影依頼情報を選択するためのキー情報を受信する受信手段と、前記受信手段により受信された前記キー情報に基づいて、前記記憶手段に記憶された放射線撮影依頼情報を選択する選択手段と、前記選択手段により選択された放射線撮影依頼情報を前記移動型放射線撮影装置に送信する送信手段とを有することを特徴とする情報システムである。
【００２３】
他の発明は、その目的、特徴又は優位性等と共に、添付図面を参照してなされた後述の説明から明らかにされる。尚、当該図面において、同一又は類似の符号は複数の図面を通して同一又は類似の構成要素を表す。
【００２４】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００２５】
＜実施形態１＞
図１は本発明の実施形態１のＸ線撮影システム概略構成を示すブロック図である。
【００２６】
図１において、２１は病院情報システム、２２は放射線情報システム、２３、２５、２７はそれぞれ第１、第２、第３の移動型Ｘ線撮影装置である。２４、２６、２８はそれぞれ、移動型Ｘ線撮影装置２３、２５、２７に含まれるＸ線検出部である。移動型Ｘ線撮影装置２３、２５、２７は同一の構成であり、以下では、その代表として移動型Ｘ線撮影装置２３を用いて説明する。
【００２７】
病院情報システム２１は、前述のように、患者情報（例えば、患者ＩＤ、患者氏名、性別、生年月日等）や会計情報等の病院内の管理情報の全般を扱う。同じく、放射線情報システム２２は、診療科から画像の撮影依頼を受け、放射線科にどの患者のどの部位をどのような撮影機材で撮影するかを明確にして撮影依頼を出すなどの画像撮影に関する撮影依頼情報の管理を行う。病院情報システム２１と放射線情報システム２２とは、病院内のネットワークで接続され、互いに必要な情報のやり取りを行っている。
【００２８】
実施形態１の放射線情報システム２２には、移動型Ｘ線撮影装置の属性情報を記憶する属性情報記憶部２２ａを有している。ここでいう、属性情報とは、それぞれの移動型Ｘ線装置が病院内のどの範囲の患者を対象に撮影を行うかに関する情報であり、例えば、待機場所、対象となる診療科名、使用する技師などの情報である。これらの属性情報は、各移動型Ｘ線撮影装置の撮影装置ＩＤ（ｉｄｅｎｔｉｆｉｃａｔｉｏｎ；識別情報）と関連付けて記憶されている。
【００２９】
尚、属性情報は、放射線情報システム２２内の撮影依頼情報記憶部（不図示）に記憶された撮影依頼情報を選択（検索）するためのものであり、従って、撮影依頼情報と関連付けされている。即ち、撮影装置ＩＤ、属性情報は、それぞれ間接的、直接的に、撮影依頼情報に関連付けされている選択（検索）キー（ｋｅｙ）情報として機能する。また、この撮影依頼情報記憶部は、例えば、ハードディスク等の外部記憶装置で実現されても良いし、ＲＡＭ、ＥＥＰＲＯＭ等のメモリで実現されても良い。
【００３０】
情報処理部２２ｂは、放射線情報システム２２において移動型Ｘ線撮影装置に対する撮影依頼が必要な場合に、属性情報記憶部２２ａからの属性情報を用いて、複数の撮影依頼情報を各Ｘ線撮影装置に振り分ける（割り当てる）機能を有したものである。振り分けられた各移動型Ｘ線撮影装置ごとの撮影依頼情報は、通信部２２ｃにより移動型Ｘ線撮影装置２３、２５、２７に無線で送信される。
【００３１】
移動型Ｘ線撮影装置２３において、通信部２３ａはそれぞれの移動型Ｘ線撮影装置の撮影装置ＩＤを記憶する記憶媒体を有しており、はじめに撮影装置ＩＤを移動型Ｘ線撮影装置２３から放射線情報システム２２に送信する。
【００３２】
放射線情報システム２２は、その撮影装置ＩＤを情報処理部２２ｂが認識し、属性情報によって分類された撮影依頼情報を、該当する移動型Ｘ線撮影装置に送信する。撮影依頼情報には、病院情報システム２１から送られた患者情報も付帯されている。移動型Ｘ線撮影装置２３には、通信により入力された撮影依頼情報、患者情報を記憶する情報記憶部２３ｂと、それらの情報を表示する情報表示部２３ｃを有している。
【００３３】
従って、例えば、移動型Ｘ線撮影装置２３の操作者（Ｘ線撮影技師）は、スイッチ（不図示）により処理対象の撮影装置ＩＤを送信し、撮影依頼情報や患者情報を取得した後、情報表示部２３ｃにより撮影依頼情報、患者情報などを見ることができる。撮影者はこの情報に従って、撮影を行う。
【００３４】
Ｘ線検出部（放射線画像検出部ともいう）２４、２６、２８は、複数の光電変換素子が二次元状（平面上）に配置されてなる検出面を有するＸ線検出センサ（不図示）を内蔵している。移動型Ｘ線撮影装置のＸ線発生部（不図示）から出射されたＸ線が被写体に照射され、被写体を透過したＸ線がＸ線検出センサにより検出される。
【００３５】
Ｘ線検出センサから出力された画像信号は、画像処理部（不図示）においてデジタル画像処理され、移動型Ｘ線撮影装置２３内の画像記憶部２３ｄに記憶され、画像表示部２３ｅに被写体のＸ線画像として表示される。撮影終了後、放射線情報システム２２に返送が必要な撮影に関する撮影結果情報（撮影画像データ、撮影条件等）は撮影結果として、通信部２３ａ、２２ｃを介して放射線情報システム２２に送られ管理される。
【００３６】
放射線情報システム２２で取得された撮影画像データは、不図示のオフラインの媒体を用いて、画像保管通信システムに収納され、要求に応じて適宜表示され得る。
【００３７】
尚、病院情報システム２１、放射線情報システム２２、移動型Ｘ線撮影装置２３、２５、２７はそれぞれ、汎用コンピュータに搭載される標準的な構成要素（例えば、ＣＰＵ、ＲＡＭ、ＲＯＭ、ハードディスク（外部記憶装置）、ネットワークインタフェース、ディスプレイ、キーボード、マウス等）を有している。
【００３８】
図２は本発明の実施形態１のＸ線撮影システムの具体的な構成を示す概略斜視図である。
【００３９】
５１は移動型Ｘ線撮影装置、５２はＸ線検出部２４、２６、２８に相当するＸ線検出器、５３は寝台である。５１ａはＸ線を出射するＸ線発生部、５１ｂはＸ線発生部５１ａを撮影方向、撮影位置（撮影対象部位）に応じて移動自在に支持する可動型のアーム、５１ｃはアーム５１ｂを支持する筐体、５１ｄは移動時に使用する車輪である。
【００４０】
筐体５１には、通信装置５６、制御部５４を内包している。通信装置５６には、通信部２３ａ、情報記憶部２３ｂが内蔵されている。５８は通信のためのアンテナ、５７は撮影依頼情報等の表示を行う情報表示部２３ｃに相当する表示装置である。制御部５４は撮影依頼情報に基づいて、Ｘ線検出器５２、Ｘ線発生部５１ａを含む移動型Ｘ線撮影装置の各部の動作を制御すると共に、画像記憶部２３ｄ及び画像処理部（不図示）を内蔵している。
【００４１】
制御部５４は、例えば、撮影依頼情報に含まれる被写体の撮影対象部位及び／又は撮影方向に基づく撮影条件及び／又は画像処理条件の設定（Ｘ線検出器、Ｘ線発生部及び／又は画像処理部の制御）、患者情報及び／又は撮影依頼情報と撮影により得た画像データとの対応付け、撮影依頼情報等に基づく、撮影により得た画像データと当該画像データの送信先又は転送先との対応付け等を行う。
【００４２】
５５は画像表示部２３ｅに相当する撮影画像の表示装置である。Ｘ線検出器５２は、複数の光電変換素子を二次元状に配置されてなる検出面を有するＸ線検出センサを内蔵したもので、５２ａはセンサの有効範囲である。
【００４３】
図２に示す移動型Ｘ線撮影装置を用いた場合、操作者（Ｘ線撮影技師）は撮影依頼情報を無線通信により放射線情報システム２２から受信し、表示装置５７により視認することができる。そこから得られる撮影依頼情報により、撮影対象の患者のところに移動し、Ｘ線検出器５２を患者の撮影対象部位にあてがい、Ｘ線発生器５１ａよりＸ線を出射する。
【００４４】
患者を透過したＸ線はＸ線検出器５２により検出され、処理された後、画像表示装置５５に速やかに表示される。これにより撮影良否の確認を直ちに行うことができる。また、高精細の表示装置を用いれば、撮影現場で読影して、診断することもできる。
【００４５】
以上説明したように、実施形態１によれば、情報入力作業の省略や情報伝達の迅速化などによる技師の作業効率の向上、及び負担軽減、また転記ミスの排除等による情報伝達の信頼性向上を可能とする移動型Ｘ線撮影装置及びＸ線撮影システムを提供することができる。
【００４６】
＜実施形態２＞
図３は本発明の実施形態２のＸ線撮影システム概略構成を示すブロック図である。
【００４７】
尚、実施形態１の図１と同一の記号は同一の構成要素を示す。実施形態２と実施形態１の差異は、移動型Ｘ線撮影装置３３の通信部３３ａが、放射線情報システム３２の通信部３２ｃだけでなく、病院情報システム３１に設けられた通信部３１ａとも交信が可能な構成となっていることである。また、図３の３２ａ、３２ｂ、３３ｂ、３３ｃ、３３ｄ、３３ｅはそれぞれ、図１の２２ａ、２２ｂ、２３ｂ、２３ｃ、２３ｄ、２３ｅと同一の機能を有する。
【００４８】
このような構成の実施形態２によれば、移動型Ｘ線撮影装置３３、３５、３７は、撮影依頼情報を放射線情報システム３２から受信した後、撮影依頼情報に含まれている撮影対象となる患者の患者ＩＤを病院情報システム３１に送信することで、患者情報を直接病院情報システム３１から受信することができる。
【００４９】
これにより、通信する情報を分散することができるため、１回の通信時間を短縮することができる。即ち、撮影依頼情報のみを短時間で入手して、移動を開始し、詳細な患者情報は、撮影までの間の移動中に受信することができる。よって業務の効率化が可能となる。
【００５０】
＜実施形態３＞
図４は本発明の実施形態３のＸ線撮影システム概略構成を示すブロック図である。
【００５１】
尚、実施形態１の図１と同一の符号は同一の構成要素を示す。実施形態３と実施形態２の差異は、放射線情報システム２２に内蔵されていた属性情報記憶部２２ａを属性情報記憶部４３ｆとして、各移動型Ｘ線撮影装置４３、４５、４７に内蔵したことである。また、図４の４２ｂ、４２ｃ、４３ａ、４３ｂ、４３ｃ、４３ｄ、４３ｅはそれぞれ、図１の２２ｂ、２２ｃ、２３ａ、２３ｂ、２３ｃ、２３ｄ、２３ｅと同一の機能を有する。
【００５２】
このような構成の実施形態３によれば、属性情報記憶部４３ｆを各移動型Ｘ線撮影装置に内蔵したため、操作者（Ｘ線撮影技師）は容易に属性情報を変更することができる。そのため、通常と異なる病棟の撮影を行う場合などに迅速に対応することができる。
【００５３】
尚、この場合、当該属性情報自体が放射線情報システム２２に送信される。当該属性情報を受信した放射線情報システム２２は、受信した属性情報に基づいて撮影依頼情報を選択（検索）し、選択された依頼情報を、当該属性情報を送信した移動型Ｘ線撮影装置に送信する。
【００５４】
また、実施形態１における撮影装置ＩＤ及び実施形態３における属性情報は、ともに、放射線情報システム２２の有する複数の撮影依頼情報から目的の撮影依頼情報を選択（検索）するために、移動型Ｘ線撮影装置から放射線情報システム２２に送信される選択（検索）キー（ｋｅｙ）情報として機能している。
【００５５】
＜実施形態４＞
図５は本発明の実施形態４のＸ線撮影システム概略構成を示すブロック図である。
【００５６】
尚、実施形態１の図１と同一の記号は同一の構成要素を示す。実施形態４と実施形態１の差異は、例えば、移動型Ｘ線撮影装置６３の通信部６３ａが、放射線情報システム６２の通信部６２ｃだけでなく、画像管理システム６７に設けられた通信部６７ａとも交信が可能な構成となっていることである。また、図５の６２ａ、６２ｂ、６３ｂ、６３ｃ、６３ｄ、６３ｅはそれぞれ、図１の２２ａ、２２ｂ、２３ｂ、２３ｃ、２３ｄ、２３ｅと同一の機能を有する。
【００５７】
このような構成の実施形態４によれば、例えば、移動型Ｘ線撮影装置６３は、撮影画像データを、患者情報、撮影情報などを付帯して画像管理システム６７に送信することができる。
【００５８】
従って、撮影後、直ちに、院内のネットワークを介して院内のどの場所でも画像を表示することが可能になる。例えば、病室での患者の撮影後、即時に離れた場所にいる医師が撮影画像を見て、患者の診断を行うことができるため、迅速な判断、処置をすることが可能になる。
【００５９】
また、撮影画像の転送を撮影後自動的に行なうように設定することにより、撮影画像の保管漏れがなくなり、より確実な画像管理をすることができる。
【００６０】
＜実施形態５＞
図８は本発明の実施形態５のＸ線撮影システム概略構成を示すブロック図である。
【００６１】
図８において、８２１は病院情報システム、８２２は放射線情報システム、８２３、８２５、８２７はそれぞれ第１、第２、第３の移動型Ｘ線撮影装置である。８２４、８２６、８２８はそれぞれ、移動型Ｘ線撮影装置８２３、８２５、８２７に接続されたＸ線検出部である。移動型Ｘ線撮影装置８２３、８２５、８２７は同一の構成であり、以下ではその代表として移動型Ｘ線撮影装置８２３を用いて説明する。
【００６２】
尚、実施形態１の図１と同一の記号は同一の構成要素を示す。実施形態５と実施形態１の差異は、放射線情報システム８２２が、当該システムが構成される病院内の院内地図データを記憶する地図記憶部８２２ｄを有していることである。また、図８の８２２ａ、８２２ｂ、８２３ａ、８２３ｂ、８２３ｃ、８２３ｄ、８２３ｅはそれぞれ、図１の２２ａ、２２ｂ、２３ａ、２３ｂ、２３ｃ、２３ｄ、２３ｅと同一の機能を有する。
【００６３】
次に、放射線情報システム８２２による撮影依頼情報の振り分け及びソート処理について、図９を用いて説明する。
【００６４】
図９は本発明の実施形態５の放射線情報システムが実行する処理を示すフローチャートである。
【００６５】
病院情報システム８２１は、前述のように、患者情報（例えば、患者ＩＤ、患者氏名、患者の入院病棟・病室番号、性別、生年月日等）や会計情報等の病院内の管理情報の全般を扱う。同じく、放射線情報システム８２２は、診療科から画像の撮影依頼を受け、放射線科にどの患者のどの部位をどのような撮影機材で撮影するかを明確にして撮影依頼を出すなどの画像撮影に関する撮影依頼情報の管理を行う。病院情報システム８２１と放射線情報システム８２２とは、病院内のネットワークで接続され互いに必要な情報のやり取りを行っている。
【００６６】
実施形態５の放射線情報システム８２２は、各診療科の撮影依頼システム等から撮影依頼情報を受信する（ステップｓ９０１）。尚、この撮影依頼情報には、その緊急性を要する度合を示す緊急度（例えば、緊急度３：最優先、緊急度２：通常、緊急度１：任意）が付与されている。
【００６７】
次に、情報処理部８２２ｂは撮影依頼情報に付帯されている患者ＩＤを基に、病院情報システム８２１から各種患者情報を受信する（ステップｓ９０２）。尚、受信した患者情報には、患者の入院病棟や病室番号も含まれている。
【００６８】
次に、移動型Ｘ線撮影装置より撮影装置ＩＤを受信し、その撮影装置ＩＤに関連付けられている属性情報を取得する（ステップｓ９０３）。
【００６９】
情報処理部８２２ｂは、まず、複数の撮影依頼情報の振り分けを、各移動型Ｘ線撮影装置の属性情報に基づいて行う（ステップｓ９０４）。続いて、患者の病室番号（被写体（患者）の位置に関する位置情報）と、地図記憶部８２２ｄに記憶されている院内地図データとを照合することで、各撮影依頼情報を撮影順にソートする。
【００７０】
即ち、患者の病室番号から患者の位置を特定し、同じく院内地図データとともに地図記憶部８２２ｄに記憶されている移動経路から最短の移動ルートを算出することで、各撮影依頼情報を撮影順にソートする（ステップｓ９０５）。
【００７１】
また、撮影依頼情報の緊急度により、最短ルートにならなくても、緊急度の高い撮影を優先させるようなルート決定を行なうこともできる。振り分けられ、ソートされた各移動型Ｘ線撮影装置の撮影依頼情報は、通信部８２２ｃにより移動型Ｘ線撮影装置８２３、８２５、８２７に無線で送信される（ステップｓ９０６）。
【００７２】
具体的には、実施形態１と同様に、通信部８２３ａはそれぞれの移動型Ｘ線撮影装置の撮影装置ＩＤを放射線情報システム８２２に送信する。これにより、放射線情報システム２２は、その撮影装置ＩＤを情報処理部８２２ｂが認識し、属性情報によって分類された撮影依頼を、該当する移動型Ｘ線撮影装置に送信する。
【００７３】
従って、例えば、移動型Ｘ線撮影装置８２３の操作者（Ｘ線撮影技師）は、スイッチ（不図示）により所望の撮影装置ＩＤを送信し、撮影依頼情報や患者情報を取得した後は、情報表示部８２３ｃにより撮影依頼情報、患者情報、ソートされた撮影の順番、撮影ルート等を視認することができる。この視認した内容に従って撮影を実行することができる。
【００７４】
また、放射線情報システム８２２の地図記憶部８２２ｄ内に記憶された院内地図データを通信部８２３ａにより取得し、この院内地図データを情報表示部８２３ｃに表示するようにしてもよい。更に、院内地図データを表示すると同時に、次に撮影する患者の位置（病室）及びそこまでの経路を院内地図データ上で明示するように表示制御にしてもよい。
【００７５】
尚、実施形態５のＸ線撮影システムの具体的な構成は、例えば、実施形態１の図２と同様の構成を適用することができる。
【００７６】
特に、図２に示す移動型Ｘ線撮影装置５１を用いた場合、操作者（Ｘ線撮影技師）は、撮影依頼情報、撮影の順番、撮影ルートを無線通信により放射線情報システム８２２から受信して、表示装置５７で視認することができる。操作者は、表示された撮影の順番、撮影ルートに従って撮影対象の患者のところに順次移動し、Ｘ線検出器５２を患者の撮影対象部位にあてがい、Ｘ線発生器５１ａよりＸ線を照射する。
【００７７】
患者を透過したＸ線はＸ線検出器５２により検出され、処理された後、画像表示装置５５に速やかに表示される。これにより、最も効率の良い撮影ルートをたどり、効率的な作業を行うことができる。また、撮影良否の確認を直ちに行うことができる。更に、高精細の表示装置を用いれば、撮影現場で読影し診断することもできる。
【００７８】
＜実施形態６＞
図１０は本発明の実施形態６のＸ線撮影システム概略構成を示すブロック図である。
【００７９】
尚、実施形態５の図８と同一の記号は同一の構成要素を示す。実施形態６と実施形態５の差異は、移動型Ｘ線撮影装置３３の通信部１０３３ａが、放射線情報システム１０３２の通信部１０３２ｃだけでなく、病院情報システム１０３１に設けられた通信部１０３１ａとも交信が可能な構成となっていることである。また、図１０の１０３２ａ、１０３２ｂ、１０３２ｄ、１０３３ｂ、１０３３ｃ、１０３３ｄ、１０３３ｅはそれぞれ、図８の８２２ａ、８２２ｂ、８２２ｄ、８２３ｂ、８２３ｃ、８２３ｄ、８２３ｅと同一の機能を有する。
【００８０】
このような構成の実施形態６によれば、実施形態５で説明した効果に加えて、移動型Ｘ線撮影装置３３、３５、３７は、撮影依頼情報を放射線情報システム１０３２から受信した後、撮影依頼情報に含まれている対象となる患者の患者ＩＤを病院情報システム１０３１に送信することで、患者情報を直接病院情報システム１０３１から受信することができる。
【００８１】
これにより、通信する情報を分散（分割）することができるため、１回の通信時間を短縮することができる。即ち、撮影依頼情報のみを短時間で入手して、移動を開始し、詳細な患者情報は、撮影までの間の移動中に受信することができる。よって、業務の効率化が可能となる。
【００８２】
＜実施形態７＞
図１１は本発明の実施形態７のＸ線撮影システム概略構成を示すブロック図である。
【００８３】
尚、実施形態５の図８と同一の符号は同一の構成要素を示す。実施形態７と実施形態５との差異は、放射線情報システム８２２に内蔵されていた属性情報記憶部８２２ａを属性情報記憶部１１４３ｆとして、各移動型Ｘ線撮影装置１１４３、１１４５、１１４７に内蔵したことである。また、図１１の１１４２ｂ、１１４２ｃ、１１４３ａ、１１４３ｂ、１１４３ｃ、１１４３ｄ、１１４３ｅはそれぞれ図８の８２２ｂ、８２２ｃ、８２３ａ、８２３ｂ、８２３ｃ、８２３ｄ、８２３ｅと同一の機能を有する。
【００８４】
このような構成の実施形態７によれば、実施形態５で説明した効果に加えて、属性情報記憶部１１４３ｆを各移動型Ｘ線撮影装置に内蔵したため、操作者（Ｘ線撮影技師）は容易に属性情報を変更することができる。そのため、通常と異なる病棟の撮影を行う場合などに迅速に対応することができる。
【００８５】
＜実施形態８＞
図１２は本発明の実施形態８のＸ線撮影システム概略構成を示すブロック図である。
【００８６】
尚、実施形態５の図８と同一の符号は同一の構成要素を示す。実施形態８と実施形態５との差異は、例えば、移動型Ｘ線撮影装置１２６３の通信部１２６３ａが、放射線情報システム１２６２の通信部１２６２ｃだけでなく、画像管理システム１２６７に設けられた通信部１２６７ａとも交信可能な構成となっていることである。また、図１２の１２６２ａ、１２６２ｂ、１２６２ｄ、１２６３ｂ、１２６３ｃ、１２６３ｄ、１２６３ｅはそれぞれ、図８の８２２ａ、８２２ｂ、８２２ｄ、８２３ｂ、８２３ｃ、８２３ｄ、８２３ｅと同一の機能を有する。
【００８７】
このような構成の実施形態８によれば、実施形態５で説明した効果に加えて、例えば、移動型Ｘ線撮影装置１２６３は、撮影画像データを、患者情報、撮影情報などを付帯して画像管理システム１２６７に送信することができる。
【００８８】
従って、撮影後、直ちに、院内のネットワークを介して院内のどの場所でも画像を表示することが可能になる。例えば、病室での患者の撮影後、即時に離れた場所にいる医師が撮影画像を見て、患者の診断を行うことができるため、迅速な判断、処置をすることが可能になる。
【００８９】
また、撮影画像の転送を撮影後自動的に行なうように設定することにより、撮影画像の保管漏れがなくなり、より確実な画像管理をすることができる。
【００９０】
本発明の実施形態は、上記実施形態群に限定されることなく、様々な変形例が考えられる。
【００９１】
例えば、実施形態５〜８では、撮影ルートを演算する情報処理部を、放射線情報システムに実装した例を説明しているが、別の場所に同様の機能を持たせてもよい。例えば、移動型Ｘ線撮影装置（Ｘ線検出器の制御装置等）に実装しても良い。また、移動型Ｘ線撮影装置に実装する場合、複数の移動型Ｘ線撮影装置のうちの１台の装置に実装し、処理した情報を他の装置に通信するようにしてもよい。
【００９２】
撮影依頼情報は、撮影技師が携行可能な携帯情報端末に通信して、それに表示されるように構成しても良い。この場合、撮影技師はこの携帯情報端末を介して、撮影依頼情報を視認し、その結果に基づいて撮影を行う。
【００９３】
移動型Ｘ線撮影装置への撮影依頼情報の入力は、撮影開始時期にまとめて行なわれるだけでなく、随時行われるようにしてもよい。例えば、撮影途中で緊急の追加撮影依頼の入力を行ったり、依頼済みの撮影に対して変更依頼の入力を加えるような運用としてもよい。その場合、撮影順のどこまで撮影が進行しているかを何らかの手段で放射線情報システムに入力し、放射線情報システムが、追加撮影依頼または変更撮影依頼を含めて、再度最適ルートを演算しなおした上で、移動型Ｘ線撮影装置に撮影依頼情報を送信するようにすればよい。
【００９４】
追加した撮影依頼情報を、複数の移動型Ｘ線撮影装置のどの装置に送信するかを判断するには、最初の撮影依頼情報の発生時刻からの経過時間で、各移動型Ｘ線撮影装置のおおよその位置を推測し、追加された撮影依頼情報を最も効率的に処理することのできる装置を推定するようにすればよい。
【００９５】
更に、移動型Ｘ線撮影装置の位置を、例えば、ＧＰＳを利用してリアルタイムで検出するシステムを付加することで、より効率的な運用をすることができる。例えば、院内地図データを移動型Ｘ線撮影装置の情報表示部に表示し、その院内地図データ上に現在の位置を表示するとともに、次の目的地に向かうルートを院内地図データ上に表示することができる。加えて、音声を用いて目的地まで誘導してもよい。
【００９６】
また、緊急の撮影依頼が発生した場合、対象となる患者の現在の位置に最も近い位置に存在する移動型Ｘ線撮影装置に撮影依頼情報を送信することにより、迅速に処理することができる。また、病院内の集中管理室に、院内地図データと各移動型Ｘ線撮影装置の現在の位置とをリアルタイムで表示する表示装置を設けて管理することもできる。
【００９７】
以上説明したように、実施形態５〜８に係るＸ線画像撮影システムは、従来人手に頼っていた撮影依頼の分配、撮影順の決定を情報処理部にて行うことにより、撮影作業効率の向上、緊急依頼への迅速な対応、作業者の負荷軽減等を達成することができる。
＜他の実施形態＞
尚、本発明の実施形態は上記の実施形態に限定されることなく、様々な変形例が考えられる。情報の伝達手段として無線通信を用いる場合、無線通信プロトコルとして、通常の無線ＬＡＮに用いられるＴＣＰ／ＩＰ、Ｂｌｕｅｔｏｏｔｈ等を用いることができる。
【００９８】
無線通信は、病院のインフラに応じて、院内のいずれの場所で行ってもよいし、あるいは無線通信が可能な特定の場所に限って行ってもよい。また、有線による通信を行ってもよい。この際、通信ケーブルが着脱可能に構成された有線方式を用いてもよい。あるいは、フロッピー（登録商標）ディスク、光磁気ディスク、光ディスクなどの可搬性記憶媒体を介して、いわゆるオフライン方式で情報の伝達を行ってもよい。この場合、移動型Ｘ線撮影装置は、可搬性記憶媒体を読み取る読取部を備えて構成される。
【００９９】
また、撮影画像データは、移動型Ｘ線撮影装置から画像管理システムに送信するだけでなく、該当する患者の過去画像を参照する場合などに、画像管理システムから移動型Ｘ線撮影装置に送信されてもよい。
【０１００】
また、ソフトウェアのプログラムコードを、システム或いは装置に直接或いは遠隔から供給し、供給された当該プログラムコードをそのシステム或いは装置のコンピュータが読み出して実行することによって、前述した実施形態の機能を実現することも可能である。
【０１０１】
従って、本発明の機能又は処理をコンピュータで実現又は実施するために、該コンピュータにインストールされるプログラムコード自体も本発明を実現するものである。つまり、本発明には、本発明の機能又は処理を実現又は実施するためのコンピュータプログラム自体も含まれる。
【０１０２】
その場合、当該プログラムは、オブジェクトコード、インタプリタにより実行されるプログラム、ＯＳに供給されるスクリプトデータ等を含み、その形態は様々である。
【０１０３】
当該プログラムを供給するための記録媒体としては、例えば、フロッピー（登録商標）ディスク、ハードディスク、光ディスク、光磁気ディスク（ＭＯ）、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０４】
また、当該プログラムは、コンピュータからブラウザを用いてインターネットのホームページに接続し、該ホームページから当該コンピュータプログラムそのもの、もしくは圧縮され自動インストール機能を含むファイルをハードディスク等の記録媒体にダウンロードすることによっても、コンピュータに供給され得る。また、当該プログラムを構成する、複数のファイルに分割されたプログラムコードを、それぞれ異なるホームページからダウンロードすることによっても、当該プログラムをコンピュータに供給可能である。つまり、本発明の機能又は処理をコンピュータに実現又は実施させるためのプログラムファイルをユーザに対して提供するＷＷＷサーバも、本発明の実施の一態様である。
【０１０５】
また、当該プログラムを暗号化してＣＤ−ＲＯＭ等の記憶媒体に格納してユーザに配布し、所定の条件をクリアしたユーザに、インターネットを介してホームページから暗号化を解く鍵情報をダウンロードさせ、その鍵情報を使用することにより暗号化されたプログラムを実行して当該プログラムをコンピュータにインストールさせることも、本発明の一実施態様である。
【０１０６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によって前述した実施形態の機能が実現される場合も、当該プログラムは本発明の一実施態様である。
【０１０７】
さらに、記録媒体から読み出されたプログラムが、コンピュータに挿入された機能拡張ボード又はコンピュータに接続された機能拡張ユニットに備わるメモリに書き込まれた後、そのプログラムの指示に基づき、その機能拡張ボード又は機能拡張ユニットに備わるＣＰＵなどが実際の処理の一部または全部を行ない、その処理によって前述した実施形態の機能が実現される場合も、当該プログラムは本発明の一実施態様である。
【０１０８】
尚、以上の実施形態は、Ｘ線撮影装置を例に説明されているが、Ｘ線以外の放射線を用いて被写体の放射線画像を取得することもでき、従って、当該Ｘ線撮影装置は放射線撮影装置として一般化することができる。
【０１０９】
【発明の効果】
以上説明したように、本発明によれば、移動型放射線撮影装置を利用した放射線撮影に関連する効率的かつ効果的なワークフローを実現することができる。
【図面の簡単な説明】
【図１】本発明の実施形態１のＸ線撮影システム概略構成を示すブロック図である。
【図２】本発明の実施形態１のＸ線撮影システムの具体的な構成を示す概略斜視図である。
【図３】本発明の実施形態２のＸ線撮影システム概略構成を示すブロック図である。
【図４】本発明の実施形態３のＸ線撮影システム概略構成を示すブロック図である。
【図５】本発明の実施形態４のＸ線撮影システム概略構成を示すブロック図である。
【図６】従来のＸ線画像撮影システムの概略図である。
【図７】従来の病院内の情報システムの概略を示す図である。
【図８】本発明の実施形態５のＸ線撮影システム概略構成を示すブロック図である。
【図９】本発明の実施形態５の放射線情報システムが実行する処理を示すフローチャートである。
【図１０】本発明の実施形態６のＸ線撮影システム概略構成を示すブロック図である。
【図１１】本発明の実施形態７のＸ線撮影システム概略構成を示すブロック図である。
【図１２】本発明の実施形態８のＸ線撮影システム概略構成を示すブロック図である。
【符号の説明】
２１　病院情報システム
２２　放射線情報システム
２２ａ　属性情報記憶部
２２ｂ　情報処理部
２２ｃ　通信部
２３、２５、２７　移動型Ｘ線撮影装置
２３ａ　通信部
２３ｂ　情報記憶部
２３ｃ　情報表示部
２３ｄ　画像記憶部
２３ｅ　画像表示部
２４、２６、２８　Ｘ線検出部
５１　移動型Ｘ線撮影装置
５１ａ　Ｘ線発生部
５２　Ｘ線検出器
５４　制御部
５６　通信装置
５８　アンテナ
【図１】
2004041698.tif 000003
【図２】
2004041698.tif 000004
【図３】
2004041698.tif 000005
【図４】
2004041698.tif 000006
【図５】
2004041698.tif 000007
【図６】
2004041698.tif 000008
【図７】
2004041698.tif 000009
【図８】
2004041698.tif 000010
【図９】
2004041698.tif 000011
【図１０】
2004041698.tif 000012
【図１１】
2004041698.tif 000013
【図１２】
2004041698.tif 000014